(57)【要約】【課題】  本発明の目的は、眼球が自然な回転角（輻輳角）を維持可能な構造を有することにより、自然で完全に近い立体画像を提供するステレオビュア及びステレオマウントフレームを提供することにある。【解決手段】  本発明は、互いに視差のある一対の画像を一対のレンズ１４ａ，ｂで同時観察するステレオビュア１０である。筒体の一端側のレンズ１４ａ，ｂと筒体の他端側の採光手段１２ａ，ｂを備え、その間にフィルム３１ａ，ｂをレンズの光軸Ａａ，ｂに垂直に配置可能な単眼用ビュア１０ａ，ｂを一対有する。  一方のレンズ光軸Ａａ（Ａｂ）と他方のレンズ光軸Ａｂ（Ａａ）間の角度を調整可能に、単眼用ビュア１０ａ，ｂを連結するヒンジ１３が設けられる。ヒンジ１３により、一方のレンズ光軸Ａａ（Ａｂ）を他端方向に延長した軸と他方のレンズの光軸Ａｂ（Ａａ）を他端方向に延長した軸が５〜３０°で交差するよう、単眼用ビュア１０ａ，ｂ間角度を調整できる。【選択図】図１
2005173091.tif 000002
【特許請求の範囲】
【請求項１】
互いに視差のある一対の画像を、一対のレンズを通して両眼で同時に観察し、画像を立体視するステレオビュアであって、
筒体からなり、該筒体の一端側に形成されたレンズと、前記筒体の他端側に形成された採光手段と、前記レンズと前記採光手段との間に前記画像のフィルムを、前記レンズの光軸に対して垂直に配置可能なフィルム収容部と、を備えた単眼用ビュアを一対有し、
該一対の単眼用ビュアには、一方の前記単眼用ビュアの前記レンズの光軸と他方の前記単眼用ビュアの前記レンズの光軸との角度を調整可能な状態で、前記一対の単眼用ビュアを連結するヒンジが設けられ、
該ヒンジにより、前記一方の単眼用ビュアの前記レンズの光軸を前記他端方向に延長した軸と、前記他方の単眼用ビュアの前記レンズの光軸を前記他端方向に延長した軸とが、５〜３０°の間の角度で交差するように、前記一対の前記単眼用ビュアの間の角度を調整可能であることを特徴とするステレオビュア。
【請求項２】
前記ヒンジは、該ヒンジの軸が各前記レンズの光軸に垂直で、かつ一対の前記レンズの中心を結ぶ直線に垂直になるよう設けられ、
各前記単眼用ビュアの前記ヒンジよりも前記他端側の側面であって他方の前記単眼用ビュアに隣り合う面は、前記光軸に対して鋭角で、かつ前記ヒンジの軸に対して平行な略平面として形成され、前記側面の前記他端側端部は、前記ヒンジが設けられた位置よりも、他方の前記単眼用ビュアから遠い位置にあることを特徴とする請求項１記載のステレオビュア。
【請求項３】
前記フィルム収容部は、前記単眼用ビュア内に形成され所定のフレームを支持する支持部材と、前記単眼用ビュアの側面に前記光軸に対して垂直に形成され前記フレームを挿入可能なスリットと、からなり、
前記フレームは、前記フィルムが固定された一対のフィルムマウントを、格納する略板体であることを特徴とする請求項１記載のステレオビュア。
【請求項４】
前記フレームは、略矩形の第一の開口を前記フレームの長さ方向に二つ備えた横長の略板体からなる表フレームと、前記第一の開口に対応する位置に第二の開口が設けられ、前記表フレームに対して平行に固定される一対の裏フレームと、を備え、
前記一対の第一の開口の間には、一対の前記フィルムマウント間の角度を調整可能なヒンジが形成され、
前記表フレームと前記裏フレームとの間には、一対の前記フィルムマウントを、前記フィルムの前記画像が前記第一の開口及び前記第二の開口に露出するように固定可能な間隙が設けられていることを特徴とする請求項３記載のステレオビュア。
【請求項５】
互いに視差のある一対の画像を、一対のレンズを通して両眼で同時に観察し、ステレオビュアで画像を立体視するために、前記一対の画像を収納するステレオマウントフレームであって、
略矩形の第一の開口を長さ方向に二つ備えた横長の略板体からなる表フレームと、前記第一の開口に対応する位置に第二の開口が設けられ、前記表フレームに対して平行に固定される一対の裏フレームと、を備え、
前記一対の第一の開口の間には、一対の前記フィルムマウント間の角度を調整可能なヒンジが形成され、
前記表フレームと前記裏フレームとの間には、フィルムが固定された一対のフィルムマウントを、前記フィルムの前記画像が前記第一の開口及び前記第二の開口に露出するように固定可能な間隙が設けられていることを特徴とするステレオマウントフレーム。
【発明の詳細な説明】
【技術分野】
【０００１】
本発明は、ステレオビュア及びステレオマウントフレームに係り、特に眼球が自然な回転角（輻輳角）を維持できるような構造を有することにより、より自然で完全に近い立体画像を提供可能なステレオビュア及びステレオマウントフレームに関する。
【背景技術】
【０００２】
従来より、互いに視差のある一対の画像を一対のレンズを通して両眼で同時に観察して画像を立体視するステレオビュアが、種々提案されている（例えば、特許文献１）。
【０００３】
【特許文献１】特開平６−３４７７２２号公報
【０００４】
特許文献１は、「ステレオビュワー」に係る発明であり、一体に形成された箱状の本体枠の前面板に、凸レンズが組み込まれた接眼鏡筒が一対固定され、本体枠内には、凸レンズと平行に、互いに視差のある一対の画像を記録した２枚のスライドが設置され、接眼鏡筒から両眼で覗き込むことにより、スライドの画像を立体視することが記載されている。
【発明の開示】
【発明が解決しようとする課題】
【０００５】
上記特許文献１のステレオビュアは、左右に並べた二つのレンズで同時に撮影し、鑑賞する時には右側のレンズで撮影した画像を右目、左側のレンズで撮影した画像を左目で見るという所謂「平行法」によりステレオ写真を鑑賞する方法である。
上記特許文献１のステレオビュアは、この平行法による立体画像について、簡単な機構のステレオビュアにより画像の立体視を可能にするものである。
【０００６】
しかし、上記特許文献１に代表されるような従来のステレオビュアでは、眼幅調節と視度調節の機構がなく、個人の「眼」の機能に対応しておらず、十分な光学性能を発揮できないものが多数であった。
上記特許文献１のステレオビュアのように、平行の光軸によって設計された平行法によるステレオビュアでは、心理的には目前の対象物を見ていながら、生理的な眼球の動きは平行（無限遠）のままであるという矛盾があった。ステレオ写真は主に両眼の視差から立体感を生み出す写真技術であるが、両眼視差以外の要素も重要であって、可能な限りこれらの要素を加えることによってより現実的な立体画像として成立するものである。人が立体を認識するためには知覚的・心理的・生理的な様々な要素が必要で、眼筋の働きも大切な生理的要素のひとつである。
すなわち、人が無限遠以外の対象物を注視するとき、眼球は眼筋の働きによって内側を向くことになる。これを輻輳といい、この眼球の回転角（輻輳角）からも人は距離情報を得ているのであるが、平行法によるステレオビュアでは、心理的には目前の対象物を見ていながら生理的な眼球の動きは平行のままであるという矛盾があった。そして、この矛盾が与える不自然さにより、立体画像のダイナミックさが減少するという問題点があり、この問題を解決したステレオビュアの開発が望まれていた。
【０００７】
本発明の目的は、上記問題点を解決することにあり、眼球が自然な回転角（輻輳角）を維持できるような構造を有することにより、より自然で完全に近い立体画像を提供可能なステレオビュア及びステレオマウントフレームを提供することにある。
【課題を解決するための手段】
【０００８】
上記課題は、請求項１に係る発明によれば、互いに視差のある一対の画像を、一対のレンズを通して両眼で同時に観察し、画像を立体視するステレオビュアであって、筒体からなり、該筒体の一端側に形成されたレンズと、前記筒体の他端側に形成された採光手段と、前記レンズと前記採光手段との間に前記画像のフィルムを、前記レンズの光軸に対して垂直に配置可能なフィルム収容部と、を備えた単眼用ビュアを一対有し、該一対の単眼用ビュアには、一方の前記単眼用ビュアの前記レンズの光軸と他方の前記単眼用ビュアの前記レンズの光軸との角度を調整可能な状態で、前記一対の単眼用ビュアを連結するヒンジが設けられ、該ヒンジにより、前記一方の単眼用ビュアの前記レンズの光軸を前記他端方向に延長した軸と、前記他方の単眼用ビュアの前記レンズの光軸を前記他端方向に延長した軸とが、５〜３０°の間の角度で交差するように、前記一対の前記単眼用ビュアの間の角度を調整可能であることにより解決される。
【０００９】
このように構成しているので、平行法によるステレオビュアにおいて、心理的には目前の対象物を見ていながら生理的な眼球の動きは平行のままであるという矛盾が解消され、眼球の回転角（輻輳角）から人が得る距離情報により、より完全で自然なステレオ写真の鑑賞が可能となり、ステレオ写真をよりダイナミックに鑑賞することが可能となる。また、光軸が平行よりも５〜３０°内側を向いた角度に設定された輻輳角付きビュアとして構成されているため、長時間の鑑賞にも疲れにくい。
また、一方の前記単眼用ビュアの前記レンズの光軸と他方の前記単眼用ビュアの前記レンズの光軸との角度を調整可能な状態で、該一対の単眼用ビュアを連結するヒンジが設けられているので、レンズ間の距離がヒンジにより調節可能になり、子供から眼幅の大きい人まで無理なくステレオ写真の鑑賞が可能となる。
【００１０】
このとき、前記ヒンジは、該ヒンジの軸が各前記レンズの光軸に垂直で、かつ一対の前記レンズの中心を結ぶ直線に垂直になるよう設けられ、各前記単眼用ビュアの前記ヒンジよりも前記他端側の側面であって他方の前記単眼用ビュアに隣り合う面は、前記光軸に対して鋭角で、かつ前記ヒンジの軸に対して平行な略平面として形成され、前記側面の前記他端側端部は、前記ヒンジが設けられた位置よりも、他方の前記単眼用ビュアから遠い位置にあるように構成すると好適である。
このように構成されているので、ヒンジ軸を軸として一対の単眼用ビュア間の角度を調節でき、光軸の他端側への延長した軸が５〜３０°などの角度で交差するように調節可能となる。
【００１１】
このとき、前記フィルム収容部は、前記単眼用ビュア内に形成され所定のフレームを支持する支持部材と、前記単眼用ビュアの側面に前記光軸に対して垂直に形成され前記フレームを挿入可能なスリットと、からなり、前記フレームは、前記フィルムが固定された一対のフィルムマウントを格納する略板体であるように構成すると好適である。
このように構成されているので、単眼用ビュアのレンズと採光手段との間に画像のフィルムを配置することが可能となる。
【００１２】
このとき、前記フレームは、略矩形の第一の開口を前記フレームの長さ方向に二つ備えた横長の略板体からなる表フレームと、前記第一の開口に対応する位置に第二の開口が設けられ、前記表フレームに対して平行に固定される一対の裏フレームと、を備え、前記一対の第一の開口の間には、一対の前記フィルムマウント間の角度を調整可能なヒンジが形成され、前記表フレームと前記裏フレームとの間には、一対の前記フィルムマウントを、前記フィルムの前記画像が前記第一の開口及び前記第二の開口に露出するように固定可能な間隙が設けられているように構成すると好適である。
このように構成されているので、一般的な単眼用のフィルムマウントをフレームに二つ固定してステレオマウントを作成でき、正確なステレオマウントを簡単に作成することが可能となる。
【００１３】
上記課題は、請求項５に係る発明によれば、互いに視差のある一対の画像を、一対のレンズを通して両眼で同時に観察し、ステレオビュアで画像を立体視するために、前記一対の画像を収納するステレオマウントフレームであって、略矩形の第一の開口を長さ方向に二つ備えた横長の略板体からなる表フレームと、前記第一の開口に対応する位置に第二の開口が設けられ、前記表フレームに対して平行に固定される一対の裏フレームと、を備え、前記一対の第一の開口の間には、一対の前記フィルムマウント間の角度を調整可能なヒンジが形成され、前記表フレームと前記裏フレームとの間には、フィルムが固定された一対のフィルムマウントを、前記フィルムの前記画像が前記第一の開口及び前記第二の開口に露出するように固定可能な間隙が設けられていることにより解決される。
このように構成されているので、一般的な単眼用のフィルムマウントをフレームに二つ固定してステレオマウントを作成でき、正確なステレオマウントを簡単に作成することが可能となる。
【発明の効果】
【００１４】
本発明によれば、平行法によるステレオビュアにおいて、心理的には目前の対象物を見ていながら生理的な眼球の動きは平行のままであるという矛盾が解消される。眼球の回転角（輻輳角）から人が得る距離情報により、より完全で自然なステレオ写真の鑑賞が可能となり、ステレオ写真をよりダイナミックに鑑賞することが可能となる。また、光軸が平行よりも５〜３０°内側を向いた角度に設定された輻輳角付きビュアとして構成されているため、長時間の鑑賞にも疲れにくい。
また、一方の前記単眼用ビュアの前記レンズの光軸と他方の前記単眼用ビュアの前記レンズの光軸との角度を調整可能な状態で、該一対の単眼用ビュアを連結するヒンジが設けられているので、レンズ間の距離がヒンジにより調節可能になり、子供から眼幅の大きい人まで無理なくステレオ写真の鑑賞が可能となる。
【発明を実施するための最良の形態】
【００１５】
以下、本発明の一実施例を図面に基づいて説明する。なお、以下に説明する構成は本発明を限定するものでなく、本発明の趣旨の範囲内で種々改変することができるものである。
本実施形態のステレオビュア１０は、ステレオマウント３０のフィルム３１ａ，ｂを両眼視してステレオ写真を鑑賞するための装置である。
本実施形態の一対のステレオ写真とは、右目用写真のフィルム３１ａと左目用写真のフィルム３１ｂからなり、右目用写真を右目で、左目用写真を左目で見ることにより、立体的に見える写真をいう。所謂「平行法」によるステレオ写真である。
【００１６】
本実施形態のステレオビュア１０は、視差を有する左右のステレオ写真を鑑賞するために、ヒンジ１３による両眼の眼幅調節と視度調節の機能を持ち、かつ左右のレンズ１４ａ，１４ｂの光軸Ａａ，ｂの輻輳角により「眼」が対象物を生理的に注視し易く設計されている。
眼幅調節と視度調節は、「眼」の機能の個人差に対応したものである。
ステレオ写真には、横に並べた２台のカメラで同じ被写体を撮影したもの、１台のカメラで被写体を撮影した後、最初に撮影した位置から所定距離水平にカメラを移動させて同じ被写体を撮影したもの、二つのレンズを備え、二つのレンズのシャッターを同期させるリアリストなどの専用ステレオカメラで撮影したもの等が含まれる。
【００１７】
本実施形態のステレオビュア１０について説明する。図１は、ステレオビュア１０を斜め上前方より見た斜視図、図２は、ステレオビュア１０の本体ケース１１ａ，ｂ及び後部キャップ１２ａ，ｂを裏側から見た図、図３は、図１のステレオビュア１０を本体ケース１１ａ，ｂと後部キャップ１２ａ，ｂに分割したもののＡ−Ａ線断面図である。
図１乃至図３のステレオビュア１０は、二つの単眼用ビュア１０ａ，ｂからなる。
各単眼用ビュア１０ａ，ｂは、それぞれ、本体ケース１１ａ，ｂと、採光手段としての後部キャップ１２ａ，ｂと、二つの本体ケース１１ａ，ｂを連結するヒンジ１３と、レンズ１４ａ，ｂと、回動抑制部材２２と、を備えている。
【００１８】
本体ケース１１ａ，ｂは、プラスチック製からなる。図１乃至図３に示すように、略四角錐の頂点側が切り取られた形状からなり、内部が空洞の筒体として形成されている。
本体ケース１１ａ，ｂの側面は、図２，図３に示すように、他方の本体ケース１１ｂ，ａと連結される側の内側壁１１１ａ，ｂ、ステレオビュア１０外側に位置する外側壁１１２ａ，ｂ、鑑賞するときに上方に位置する上側壁１１３ａ，ｂ、観賞するときに下方に位置する下側壁１１４ａ，ｂの４つの壁体から構成されている。
【００１９】
これらの内側壁１１１ａ，ｂ、外側壁１１２ａ，ｂ、上側壁１１３ａ，ｂ、下側壁１１４ａ，ｂは、レンズ１４ａ，ｂの光軸Ａａ，ｂに対して鋭角で、かつヒンジ１３の軸に対して平行になるように形成されている。
内側壁１１１ａ，ｂ、外側壁１１２ａ，ｂ、上側壁１１３ａ，ｂ、下側壁１１４ａ，ｂの４つの壁体は、図１に示すように、それぞれ略台形の平面からなる。これら略台形の平面は、一端側が短い辺、他端側が長い辺から形成されている。４つの壁体の短い辺で形成される面には、図３のように、公知の凸レンズからなるレンズ１４ａ，ｂが固定されている。
なお、レンズ１４ａ，ｂを、左右で個別に焦点調節可能なレンズとすると、正確なピント調整が可能となると共に左右の視力が違うユーザでも正しいピントを得ることができ好適である。
４つの壁体の長い辺で形成される底面１１０ａ，ｂは、開口となっている。
【００２０】
内側壁１１１ａ，ｂは、図３に示すように、レンズ１４ａ，ｂの光軸Ａａ，ｂに対して鋭角で、かつヒンジ１３の軸に対して平行な平面として形成されている。さらに、ヒンジ１３の軸は、図３の点線で示すように、この平面を延長した面に含まれるように形成されている。
このように構成することにより、ヒンジ１３を軸として単眼用ビュア１０ａ，ｂの光軸Ａａ，ｂをＸ方向、すなわちレンズ１４ａ，ｂが近づく方向に回動させることが可能となる。
つまり、左右の目幅の狭い子供がステレオビュア１０を使用する際に、レンズ１４ａ，ｂの間隔を目幅に合わせることが可能となる。
このように、光軸Ａａ，ｂをＸ方向に回動させた場合、光軸Ａａ，ｂは外側を向き、左右の目の焦点は外側を向く。ステレオ写真を見るときに自然な輻輳角は、左右の目の焦点が内側を向く角度である。従って、光軸Ａａ，ｂをＸ方向に回動させた場合は、左右の焦点が不自然な角度となるため、ステレオ写真を見るにあたり、立体に見えるよう、脳で調整することになる。
なお、内側壁１１１ａ，ｂは、レンズ１４ａ，ｂの光軸Ａａ，ｂに対して１５°の角度の面として形成されている。内側壁１１１ａ，ｂとレンズ１４ａ，ｂの光軸Ａａ，ｂとの角度は、５〜２０°、好ましくは１０〜１８°とすると好適である。
内側壁１１１ａ，ｂとレンズ１４ａ，ｂの光軸Ａａ，ｂとの角度をこのように設定すると、ヒンジ１３を軸として単眼用ビュア１０ａ，ｂの光軸Ａａ，ｂをＸ方向に回動させたときに、光軸Ａａ，ｂをレンズ１４ａ，ｂ側に延長した軸が１０〜４０°、２０〜３６°、本実施形態の場合では３０°の角度で交差することになる。
従って、内側壁１１１ａ，ｂとレンズ１４ａ，ｂの光軸Ａａ，ｂとの角度をこのように設定していることにより、光軸Ａａ，ｂをレンズ１４ａ，ｂ側に延長した軸が、内側壁１１１ａ，ｂとレンズ１４ａ，ｂの光軸Ａａ，ｂとの角度の２倍の角度より大きい角度になることがなくなり、左右の光軸Ａａ，ｂが左右の目にとって不自然な角度に広がりすぎることが防止される。
【００２１】
外側壁１１２ａ，ｂの内面には、図２，図３に示すように、光軸Ａａ，ｂに平行な板体からなる支持体１７ａ，ｂが立設されている。また、内側壁１１１ａ，ｂの内面にも、光軸Ａａ，ｂに平行な板体からなる支持体１８ａ，ｂが立設されている。
これらの支持体１７ａ，ｂ，１８ａ，ｂの先端は、本体ケース１１ａ，ｂの底面１１０ａ，ｂよりもフレーム３５の厚み分レンズ１４ａ，ｂ側に下がった位置に形成されている。
これらの支持体１７ａ，ｂ，１８ａ，ｂは、ステレオビュア１０を組み立てたときに、フレーム３５を支持する支持部材としての役割を果たす。
【００２２】
本体ケース１１ａ，ｂの内側壁１１１ａ，ｂ、上側壁１１３ａ，ｂの底面１１０ａ，ｂ側の端部には、図１，図３の点線で示すように、フレーム３５の厚み分切り欠かれた切欠部１５ａ，ｂが形成されている。この切欠部１５ａ，ｂが形成されているため、本体ケース１１ａ，ｂの底面１１０ａ，ｂに後部キャップ１２ａ，ｂを固定したときに、本体ケース１１ａ，ｂと後部キャップ１２ａ，ｂの間にフレーム３５の厚み分のスリット１６が形成されることとなる。このスリット１６は、フレーム３５を挿入するためのスリットとなる。
各本体ケース１１ａ，ｂのスリット１６の長さは、それぞれ５３ｍｍずつであり、ステレオビュア１０組立時には、ヒンジ１３が間に挟まれるため、ステレオマウント３０のフレーム３５から中央までの距離より僅かに大きい１１０ｍｍとなる。
【００２３】
本体ケース１１ａ，ｂの内側壁１１１ａ，ｂの底面１１０ａ，ｂ側端部には、本体ケース１１ａ，ｂを相互に連結するヒンジ１３が設けられている。
ヒンジ１３の軸は、光軸Ａａ，ｂに対して垂直で、かつ一対のレンズ１４ａ，ｂの中心を結ぶ図３の直線Ｌに対して垂直になるように構成されている。
ヒンジ１３の軸をこのように構成することにより、二つの光軸Ａａ，ｂ間の角度を変更可能となり、ステレオビュア１０使用時の輻輳角を変更することが可能となる。
本実施形態では、本体ケース１１ａ，ｂの内側壁１１１ａ，ｂは、レンズ１４ａ，ｂの光軸Ａａ，ｂに対して１５°の角度の面として形成され、後部キャップ１２ａ，ｂの内側壁２１１ａ，ｂは、後部キャップ１２ａ，ｂの底面に対し１１０°の角度を持った斜面として形成されている。従って、光軸ＡａとＡｂとの関係は、光軸Ａａ，ｂをレンズ１４ａ，ｂと逆方向に延長した軸が０°より大きく４０°以下の角度で交差する関係、光軸Ａａ，ｂをレンズ１４ａ，ｂ方向に延長した軸が０°より大きく３０°以下の角度で交差する関係、光軸Ａａ，ｂが平行の関係の中から、自由に選択可能である。
なお、正確な立体画像を得るためには、光軸ＡａとＡｂとが、光軸Ａａ，ｂをレンズ１４ａ，ｂと逆方向に延長した軸が５〜３０°、好ましくは５〜１５°、更に好ましくは約１０°で交差する関係にあると好適である。
光軸ＡａとＡｂとが、光軸Ａａ，ｂをレンズ１４ａ，ｂと逆方向に延長した軸が０°以上で５°よりも小さな角度で交差する場合、内側向きの輻輳角は付くが、眼球に与える情報としては、光軸Ａａ，ｂが平行の場合と大差がない。自然でダイナミックな立体画像を得るためには、少なくとも光軸Ａａ，ｂをレンズ１４ａ，ｂと逆方向に延長した軸が５°以上の角度で交差することが必要である。
【００２４】
本体ケース１１ａ，ｂの下側壁１１４ａ，ｂ、外側壁１１２ａ，ｂの底面１１０ａ，ｂ側の端面には、図２，図３に示すように、下側壁１１４ａ，ｂ、外側壁１１２ａ，ｂの厚み方向の中央に、後部キャップ１２ａ，ｂを本体ケース１１ａ，ｂに固定するための溝２０ａ，ｂが形成されている。
本体ケース１１ａ，ｂの下側壁１１４ａ，ｂの底面１１０ａ，ｂ側の面には、図２，図３に示すように、回動抑制部材２２が固定されている。
回動抑制部材２２は、ヒンジ１３により単眼用ビュア１１ａ，ｂが相互に動くことを抑制するストッパーとしての役割を果たすものである。単眼用ビュア１１ａ，ｂのそれぞれに固定された一対の支持部材２３ａ，ｂと、この支持部材２３ａ，ｂの孔に嵌挿されたワイヤー入りの樹脂製筒体２５と、を備えている。
【００２５】
一対の支持部材２３ａ，ｂは、樹脂製からなり、ヒンジ１３の軸及び光軸Ａａ，Ａｂに対して垂直な孔があけられている。支持部材２３ａ，ｂの孔は、筒体２５よりも僅かに大きな径である。図３の点線のように、ヒンジ１３から遠い側の端部の径が他の部分の径よりも小さく形成され、筒体２５の両端部が孔から突き出さないように形成されている。これにより、支持部材２３ａと支持部材２３ｂとが所定の距離以上近くならなくなり、ストッパーの役目を果たす。
支持部材２３ａ，ｂのレンズ１４ａ，ｂの逆側の面には、図３に示すように、後部キャップ１２ａ，ｂを固定するための係合用の溝２３０ａ，ｂが形成されている。
回動抑制部材２２は、筒体２５と支持部材２３ａ，ｂとの間に生じる摩擦により、１対の単眼用ビュア１０ａ，ｂがヒンジ１３を軸として回動し難くする役割を果たす。したがって、回動抑制部材２２があることにより、ステレオビュア１０での鑑賞時に、左右の単眼用ビュア１０ａ，ｂの片方のみ手で支えていればよく、双方を支えなくても左右のレンズ１４ａ，ｂの幅が頻繁に変化するようなことがなくなる。
【００２６】
後部キャップ１２ａ，ｂは、乳白色のプラスチック製である。図１乃至図３に示すように、底面略矩形で各辺から内側壁２１１ａ，ｂ、外側壁２１２ａ，ｂ、下側壁２１４ａ，ｂを含む４つの側壁が立設されたカバー体である。
後部キャップ１２ａ，ｂは、ステレオビュア１０組立て時に、上端面が本体ケース１１ａの底面１１０ａ，ｂに固定される。
図３に示すように、後部キャップ１２ａ，ｂの外側壁２１２ａ，ｂよりもややヒンジ１３側の位置には、光軸Ａａ，ｂに平行な板体からなる支持体１９ａ，ｂが立設されている。支持体１９ａ，ｂは、ステレオビュア１０組立て時に本体ケース１１ａ，ｂの支持体１７ａ，ｂに対向する位置に設けられる。
この支持体１９ａ，ｂの先端は、後部キャップの外側壁２１２ａ，ｂの面と同じ面に位置するように形成されている。
また、外側壁２１２ａ，ｂの上面には、係合用の溝２０ａ，ｂに係合可能な突起２１ａ，ｂが形成されている。
【００２７】
後部キャップ１２ａ，ｂの下側壁２１４ａ，ｂには、図２，図３に示すように、切欠き２６ａ，ｂが形成されている。切欠き２６ａ，ｂは、ステレオビュア１０組立て時に回転抑制部材２２が嵌合する形状に切り欠かれている。切欠き２６ａ，ｂには、係合用の溝２３０ａ，２３０ｂに係合可能な突起２７ａ，ｂが形成されている。
後部キャップ１２ａ，ｂのヒンジ１３側の内側壁２１１ａ，ｂは、図３に示すように、上方ほど外側に張り出す斜面として形成されている。
内側壁２１１ａ，ｂは、後部キャップ１２ａ，ｂの底面に対し１１０°の角度を持った斜面として形成される。ここで、角度が１１０°の場合、光軸Ａａ，ｂをレンズ１４ａ，ｂと逆方向に延長した軸が交わる角度は、（１１０−９０）×２＝４０°より、最大４０°まで変位可能である。従って、輻輳角は、４０°まで採りうることになる。
【００２８】
なお、この角度は、少なくとも１０５°以上、好ましくは１０７°以上の角度とすると好適である。このように設定することにより、ステレオビュア１０を用いて鑑賞したときの輻輳角を、５〜３０°、好ましくは５〜１５°、更に好ましくは約１０°に設定可能となる。
内側壁２１１ａ，ｂは、後部キャップ１２ａ，ｂを本体ケース１１ａ，ｂに取り付けたときにレンズ１４ａ，ｂの光軸Ａａ，ｂに対して鋭角で、かつヒンジ１３の軸に対して平行な平面となるよう形成されている。さらに、上記平面は、後部キャップ１２ａ，ｂを本体ケース１１ａ，ｂに取り付けたときに、この平面を延長した面に、ヒンジ１３の軸が含まれるように形成されている。
【００２９】
このように構成することにより、ヒンジ１３を軸として単眼用ビュア１０ａ，ｂの光軸Ａａ，ｂをＹ方向、すなわちレンズ１４ａ，ｂが遠ざかる方向に回動させることが可能となる。
つまり、通常の目幅の大人がステレオビュア１０を使用する際に、光軸Ａａ，ｂを延長した軸が５〜３０°、好ましくは５〜１５°、更に好ましくは約１０°になるようにしてステレオビュア１０の鑑賞が可能となり、眼球が、自然な回転角（輻輳角）約５°を維持できるようになる。その結果、自然でダイナミックな立体画像を鑑賞可能となる。
【００３０】
ステレオビュア１０は、図３に示すように、突起２７ａ，ｂを溝２３０ａ，ｂに、突起２１ａ，ｂを溝２０ａ，ｂに係合させ、接着剤で固定して、後部キャップ１２ａ，ｂを、本体ケース１１ａ，ｂに固定することにより組立てられる。
【００３１】
次に、図４，図５に基き、ステレオビュア１０のスリット１６に挿入されて鑑賞されるステレオマウント３０について説明する。
図４は、ステレオマウント３０を組立てた状態の平面図、図５は、ステレオマウント３０の各構成要素を分解した状態の説明図である。
ステレオマウント３０は、図４に示すように、一対のフィルム３１ａ，ｂをフレーム３５に固定して一体化したもので、ステレオビュア１０で鑑賞するために用いられる。
【００３２】
ステレオマウント３０は、フレーム３５と、フレーム３５に固定された二つのスライドマウント３３ａ，ｂと、二つのスライドマウント３３ａ，ｂにそれぞれ格納されたフィルム３１ａ，ｂとを主要構成要素としている。
フレーム３５は、図４，図５に示すように、表フレーム３６に２枚の裏フレーム３７ａ，ｂが重ね合わせられて形成されている。
【００３３】
表フレーム３６は、縦６０ｍｍ、横１０８ｍｍの樹脂の射出成形体よりなり、略板体として形成されている。
表フレーム３６は、一対の第一の開口としてのフィルム用開口３６１ａ，ｂ、一対のフィルム３１ａ，ｂの角度を変更可能なヒンジ３６２、裏フレーム３７ａ，ｂを係合させるための係止部３６３、スライドマウント３３ａ，ｂを配置するためのマウント収容部３６４、裏フレーム３７ａ，ｂを固定するための孔３６５を備えている。
フィルム用開口３６１ａ，ｂは、設置したフィルム３１ａ，ｂを露出する開口である。縦横共に３６ｍｍの略正方形からなり、二つのフィルム用開口３６１ａ，ｂ間の間隔は、２１ｍｍである。
【００３４】
二つのフィルム用開口３６１ａ，ｂの間には、表フレーム３６の縦方向の略全長に亘って、ヒンジ３６２が形成されている。このヒンジ３６２は、表側の面の長さ方向中央に、不図示の切込として形成されている。
このように、表フレーム３６中央に薄肉のヒンジ３６２が形成されているため、鑑賞時にフィルム３１ａ，ｂの間を輻輳角に応じた適当な角度に保つことが可能となり、ユーザに対して、ステレオ写真をより自然な立体画像と感じさせることが可能となる。
表フレーム３６の裏側の面には、フィルム用開口３６１ａ，ｂを中心とする位置に、マウント収容部３６４が形成されている。このマウント収容部３６４には、５０ｍｍ四方の板体を収納可能である。マウント収容部３６４は、図５に示すように、裏側の面から立設する壁によって囲繞されることにより形成されている。
表フレーム３６の上端辺には、図５に示すように、係止部３６３が合計４つ形成されている。係止部３６３は、裏フレーム３７ａ，ｂを係止する役割を果たす。
表フレーム３６の裏面のマウント収容部３６４の下方には、図５に示すように、孔３６５が合計６つ形成されている。孔３６５は、裏フレーム３７ａ，ｂを固定する役割を果たす。
【００３５】
裏フレーム３７ａ，ｂは、縦６０ｍｍ、横５１ｍｍの樹脂の射出成形体よりなり、略板体として形成されている。
裏フレーム３７ａ，ｂは、第二の開口としてのフィルム用開口３７１、表フレーム３６に係合させるための係合爪３７３、表フレーム３６ａ，ｂに固定するための突起３７５を備えている。
フィルム用開口３７１は、設置したフィルム３１ａ，ｂを露出する開口である。３６ｍｍ四方の略正方形からなる。
裏フレーム３７ａ，ｂの上端辺には、図５に示すように、表フレームに係止するための係合爪３７３が二つ形成されている。係合爪３７３は、組立て時に係止部３６３に対応する位置に形成されている。
裏フレーム３７ａ，ｂの下方で、組立て時に孔３６５に対応する位置に、図５に示すように、表フレーム３６に固定するための突起３７５が３つ形成されている。
【００３６】
スライドマウント３３ａ，ｂは、公知の樹脂製のスライドマウントからなり、本実施形態では、公知のスライドに用いられる５０ｍｍ四方のものを用いる。
フィルム３１ａ，ｂは、公知の３５ｍｍフルサイズのポジフィルムである。
フィルム３１ａ，ｂは、スライドマウント３３に固定された後、この右目用と左目用のスライドマウント３３が、強力接着剤又は超音波溶着で表フレーム３６と裏フレーム３７ａ，ｂとの間に固定される。
このように、フィルム３１ａ，ｂを収納したスライドマウント３３を強力接着剤又は超音波溶着で固定することにより、容易に内部のフィルム３１ａ，ｂを取り出せないようにし、フィルム３１ａ，ｂの二次使用を防止して、写真の著作権、被写体の肖像権を守ることができる。
また、本実施形態では、フィルム３１ａ，ｂとして、横に並べた２台のカメラで同じ被写体を撮影した写真のポジフィルムを用いる。なお、１台のカメラで被写体を撮影した後、最初に撮影した位置から所定距離水平にカメラを移動させて同じ被写体を撮影した写真のポジフィルムを用いてもよい。
【００３７】
スライドマウント３３ａ，ｂの開口は、３４．５×２３ｍｍに形成されている。
また、表フレーム３６のフィルム用開口３６１ａ，ｂ、裏フレーム３７ａ，ｂのフィルム用開口３７１は、３６ｍｍ四方に形成されている。
従って、図４に示すように、スライドマウント３３ａ，ｂをフレーム３５にセットしたときに、フィルム３１ａ，ｂと表フレーム３６，裏フレーム３７との間に、スライドマウント３３ａ，ｂの枠が露出することとなる。フィルム３１ａ，ｂの短い辺と表フレーム３６，裏フレーム３７との間には、スライドマウント３３ａ，ｂが１ｍｍ弱露出する。
このように、表フレーム３６のフィルム用開口３６１ａ，ｂ、裏フレーム３７ａ，ｂのフィルム用開口３７１の各辺の長さを、スライドマウント３３ａ，ｂの開口の辺の長さよりも長くなるよう構成し、フレーム３５にスライドマウント３３ａ，ｂをセットしたときに、スライドマウント３３ａ，ｂの枠が少なくともフィルム用開口３６１ａ，ｂ，３７１に露出するように構成することにより、ステレオビュア１０でフィルム３１ａ，ｂを鑑賞したときに、表フレーム３６，裏フレーム３７の開口３６１ａ，ｂ，３７１の縁が光ることがなくなり、快適にステレオ写真を鑑賞することが可能となる。
【００３８】
ステレオマウント３０は、次のように組立てる。
まず、図５に示すように、フィルム３１ａ，ｂを表フレーム３６のマウント収容部３６４に格納する。次いで、裏フレーム３７ａ，ｂの係合爪３７３を表フレーム３６の係止部３６３に係合させ、裏フレーム３７ａ，ｂの突起３７５を表フレーム３６の孔３６５に嵌合させる。これにより、表フレーム３６と裏フレーム３７ａ，ｂの間に二つのスライドマウント３３ａ，ｂを挟み込み、図４のステレオマウント３０が完成する。
【００３９】
このように、本実施形態では、ステレオマウント３０を組立てるための部品としてフレーム３５を備えているので、市場で一般的に売られている５０ｍｍ四方のスライドマウント３３ａ，ｂを用いて、簡単にステレオマウント３０を作成することが可能となる。
また、フィルム３１ａ，ｂとして、ステレオ写真の分野で広く用いられているリアリストタイプのフィルムではなく、一般的な写真の分野で現在最も普及している３５ｍｍフルサイズフィルムを用いているので、通常の写真撮影で用いる一般的なフィルムを用いてステレオマウント３０に加工することができ、利便性が高い。
また、左右上下、回転角が正確に撮影された一対のステレオ写真用のポジフィルムがあれば、ステレオマウント３０作成工程は、ポジフィルムを１枚ずつ切り離す作業を行うだけですみ、一対の画像の上下左右方向のずれ、回転角のずれを修正するアライメント調整の作業が不要になる。
【００４０】
さらに、一般的な写真の分野で広く用いられている３５ｍｍフルサイズフィルムを用いているので、従来のステレオ写真の分野で広く用いられているリアリストタイプの２４ｍｍ×２３ｍｍ、ヨーロッパサイズの２４ｍｍ×３０ｍｍに比較して、３６ｍｍ×２４ｍｍという大きなサイズでステレオ写真を鑑賞することができ、よりダイナミックなステレオ写真を鑑賞することが可能となる。
また、一眼レフ等の単眼のカメラ２台を用いて撮影されたステレオ写真を簡単に見ることができるようになるので、ステレオ写真のモチーフ、アングル等の自由度が高まり、より多様なステレオ写真を撮影、鑑賞することが可能となる。
【００４１】
また、フィルム用開口３６１ａ，ｂ，３７１は、３６ｍｍ四方の正方形に形成されている。従って、フィルム３１ａ，ｂが図４のような横長画像の場合には、画像の上下にスライドマウント３３ａ，ｂの一部が露出し、フィルム３１ａ，ｂが縦長画像の場合には、画像の左右にスライドマウント３３ａ，ｂの一部が露出する。
つまり、スライドマウント３３ａ，ｂの一部が画像左右又は上下に露出される状態で、画像が縦長又は横長のいずれの場合にも同じフレーム３５を用いることができる。
【００４２】
次いで、図６に基き、スライドマウント３３ａ，ｂの代わりに用いるリアリスト用マウント４０について説明する。
このリアリスト用マウント４０は、３５ｍｍのフルサイズフィルム用のステレオマウント３０をリアリストタイプのフィルムについても使用可能にするためのマウントである。
リアリスト用マウント４０は、図６に示すように、ケース４１と、ケース４１内に収納される台紙５０と、を備えている。
ケース４１は、黒色の厚さ０．５ｍｍ程度の厚紙からなり、縦１００ｍｍ、横５０ｍｍにカットされている。縦方向の中央には、横方向の長さ全体に亘って、縦半分に折るための切込４５が入っている。
【００４３】
この切込４５の上半分がケース表面４２、下半分がケース裏面４３となる。
ケース表面４２の長さ方向端辺には、中心に、ケース表面４２の目印となるＶ字切込４６が入っている。
また、ケース表面４２，ケース裏面４３のいずれにも、中央に縦２４ｍｍ、横２２ｍｍの開口４４が形成されている。
なお、ケース４１は、厚紙製に限定されず、樹脂製等であってもよい。
【００４４】
台紙５０は、フィルムがリアリスト用マウント４０内で移動しないよう固定するための固定用フィルムであって、本実施形態では、黒色の厚さ０．０５〜０．１０ｍｍ程度の薄い紙からなる。縦４９．５ｍｍ、横５０ｍｍにカットされている。
台紙５０には、中央に縦２４ｍｍ、横２２ｍｍの開口５３が形成され、この開口５３の左右斜め上方には、それぞれ斜めの切込５１が入っている。また、開口５３の下方には、中央が半円形に形成された切込５２が入っている。
【００４５】
なお、本実施形態では、台紙５０として薄い紙を用いているが、厚さ０．０５〜０．１０ｍｍ程度の薄いものであればよく、黒色のプラスチック製のフィルム等を用いてもよい。
図６（ｂ）は、台紙５０にフィルム５４をセットした状態を図示している。
フィルム５４は、公知の３５ｍｍのリアリストフィルムであり、サイズは２４ｍｍ×２３ｍｍである。
リアリスト用マウント４０の作成手順は、次の通りである。
まず、図６（ｂ）のように、台紙５０にフィルム５４をセットする。次いでケース４１のケース裏面４３上にこの台紙５０を載せ、切込４５でケース４１を折り曲げて、ケース表面４２を台紙５０上に重ねる。その後、ケース４１の周囲から台紙５０がはみ出さないようにしながら、ケース表面４２と台紙５０、台紙５０とケース裏面４３を接着剤で固定し、完成する。
【００４６】
このリアリスト用マウント４０によれば、比較的画面サイズの小さいリアリストタイプのフィルム全体を活かしてマウントとして作成することができるので、リアリストタイプで可能な最大範囲のサイズの画面を得ることができる。
また、一つのレンズを備えたカメラで撮影された一対のフィルムを見るためのフレーム３５を用いて、リアリストなどの専用ステレオカメラで撮影されたフィルムのステレオ写真も鑑賞できるので、フレーム３５、ステレオビュア１０の活用範囲も広くなる。
【００４７】
次いで、本実施形態のステレオマウント３０、ステレオビュア１０を用いてステレオ写真を鑑賞する手順について説明する。
まず、ユーザは、ステレオマウント３０を作成する。
視差のある一対のフィルム３１ａ，ｂを切り離し、スライドマウント３３ａ，ｂに夫々セットする。次いで、図５の矢印に示すように、この一対のスライドマウント３３ａ，ｂを表フレーム３６のマウント収容部３６４，３６４に収納し、スライドマウント３３ａ，ｂの上に裏フレーム３７ａ，ｂを重ねて固定する。以上でステレオマウント３０が完成する。
【００４８】
次いで、図１のステレオビュア１０のスリット１６に、矢印Ｍの方向にステレオマウント３０を挿入する。
その後、レンズ１４ａ，ｂよりステレオビュア１０を覗いてステレオ写真の立体画像を鑑賞する。
このとき、光軸Ａａ，ｂをレンズ１４ａ，ｂと逆方向に延長した軸が、５〜３０°、好ましくは５〜１５°、更に好ましくは約１０°の角度で交差する状態で鑑賞すると好ましい。このように、人が物体を見るときに、眼球の回転角（輻輳角）は４〜１０°の範囲であると、生理的に自然な状態となるので、より自然で完全に近い立体画像を見ることができる。
【００４９】
左右のレンズ１４ａ，ｂの光軸を平行よりも内側を向いた角度とし、かつフィルム３１ａ，ｂ間の角度を１７５°として左右のフィルム３１，３２の面と光軸とが９０°となるようにすることにより、左右の画像を正確に一致させることが可能となる。
ユーザは、左右の単眼用ビュア１０ａ，ｂを、レンズ１４ａ，ｂが互いに遠くなる方向に広げることにより、光軸Ａａ，ｂをレンズ１４ａ，ｂと逆方向に延長した軸が、５〜３０°、好ましくは５〜１５°、更に好ましくは約１０°の角度で交差する状態とすることができる。
なお、ユーザが子供であるなど、眼幅が狭い場合は、レンズ１４ａ，ｂが互いに近くなる方向に寄せるため、光軸Ａａ，ｂをレンズ１４ａ，ｂと逆方向に延長した軸が、５〜３０°の角度で交差する範囲に入らない場合もある。立体画像の完成度は、光軸Ａａ，ｂをレンズ１４ａ，ｂと逆方向に延長した軸が、５〜３０°の角度で交差する範囲に入る場合よりも劣るが、本実施形態では、ヒンジ１３を備えていることにより眼幅の狭い子供であっても立体画像を見ることができるという利点がある。
【図面の簡単な説明】
【００５０】
【図１】本発明の一実施形態に係るステレオビュアを斜め上前方より見た斜視図である。
【図２】本発明の一実施形態に係るステレオビュアの本体ケース及び後部キャップを裏側から見た説明図である。
【図３】図１のステレオビュアを本体ケースと後部キャップに分割したもののＡ−Ａ線断面図である。
【図４】ステレオマウントを組立てた状態の平面図である。
【図５】ステレオマウントの各構成要素を分解した状態の説明図である。
【図６】リアリスト用マウントを示す説明図である。
【符号の説明】
【００５１】
１０  ステレオビュア
１０ａ，ｂ  単眼用ビュア
１１ａ，ｂ  本体ケース
１２ａ，ｂ  後部キャップ
１３  ヒンジ
１４ａ，ｂ  レンズ
１６  スリット
２２  回動抑制部材
３０  ステレオマウント
３１ａ，ｂ  フィルム
１１０ａ，ｂ  底面
１１１ａ，ｂ  内側壁
１１２ａ，ｂ  外側壁
１１３ａ，ｂ  上側壁
１１４ａ，ｂ  下側壁
３０  ステレオマウント
３１ａ，ｂ  フィルム
３３ａ，ｂ  スライドマウント
３５  フレーム
【図１】
2005173091.tif 000003
【図２】
2005173091.tif 000004
【図３】
2005173091.tif 000005
【図４】
2005173091.tif 000006
【図５】
2005173091.tif 000007
【図６】
2005173091.tif 000008